(57)【要約】本発明は人工爪に、特に人工爪、および人工爪の取付および交換が都合よく、人工爪の長さに従って調節することができるよう、人工爪を人間の爪に取り付ける器具に関する。人工爪を自然の指爪に取り付ける器具は、自然の指爪の上側に取り付ける下側取付板と、人工爪の下側に取り付けられ下側取付板と結合される上側取付板とを含む。
2006511314.tif 000002
【特許請求の範囲】
【請求項１】
人工爪を自然の指爪に取り付ける器具であって、
前記自然の指爪の上側に取り付けられる下側取付板と、
前記人工爪の下側に取り付けられ前記下側取付板と結合される上側取付板とを備える器具。
【請求項２】
前記上側取付板が、前記人工爪の湾曲部分に対応する湾曲を有する支持部と、前記支持部の両側に平行に形成され複数の鋸歯を有する一対の鋸歯バーとを有しており、前記下側取付板が、前記自然の指爪の湾曲部分に対応する湾曲を有する前方支持部と、複数の鋸歯と平行に前記前方支持部から延在する一対の鋸歯バーと、前記鋸歯バーの対向する端側部に形成される一対の後方支持部とを有する、請求項１に記載の器具。
【請求項３】
前人工爪の下側に取り付けられるバネ部材をさらに備える、請求項１または２の何れか一項に記載の器具。
【発明の詳細な説明】
【技術分野】
【０００１】
本発明は人工爪（付け爪）に、特に人工爪、および人工爪の取り付けおよび交換が都合よく、人工爪の長さに従って調節することができるよう、人工爪を人間の爪に取り付ける器具に関する。
【背景技術】
【０００２】
近年、女性は美容のために様々な明るい衣服および衣服に似合った装飾品で自身を装飾することに多大な努力および関心を向けている。これらの装飾品は様々なスタイルで使用されている。装飾品のうち、女性は指爪、つまり身体の構成のうち常に外界に露出しているものを装飾するために、最大の努力を払っている。つまり、指爪にマニキュアを塗る、指爪の形状を立体的に造形する、さらに多数の色および形状を有する人工爪を指爪に取付るなど、指爪の幾つかの典型的装飾がある。特に、女性は、長く指爪に似せて作成した人工爪を愛好し、これを自然の指爪に取付る。
【０００３】
この人工爪は、自然の指爪の上側に接着材料を塗布することにより、自然の指爪に取り付けることができるため、ほとんどの女性が人工爪を愛好している。しかし、自然の指爪に取り付けた人工爪は、化学物質で自然の指爪から分離しなければならず、使用するのに不便である。さらに、かつては人工爪の使用にはるかに多くの努力および時間が必要で、自然の指爪に取り付けた人工爪を、自然の指爪から容易に分離できず、さらに取り付けた人工爪が嫌いになっても長い時間にわたって着用しなければならない。
【０００４】
詳細に言うと、人工爪を分離するには化学物質を使用せねばならず、分離した人工爪を再度使用することができず、さらに人工爪を取り付ける自然の指爪は、他の人工爪を取付るためには手入れしなければならないという不便さもある。
【０００５】
また、人工爪を取り付ける自然の指爪は、時間の経過とともに成長し、成長した自然の指爪の部分（自然の指爪の最も内側端）は外界に露出せざるを得ず、その結果、美的センスに欠ける。自然の指爪の露出部分（自然の指爪の成長した部分）を樹脂または化学物質で充填する使用者もいる。しかし、この自然の指爪はこれ以上長い時間は成長せず、その結果、成長した部分を充填するため、成長した自然の指爪を手入れしなければならない。
【発明の開示】
【発明が解決しようとする課題】
【０００６】
したがって、本発明はこのような問題を解決するために作成され、使用者の好みおよび関心に従って様々な人工爪を使用者の自然の指爪に容易に取り付けて、交換する器具を提供することが、本発明の目的である。
【０００７】
器具を長時間にわたって使用できるよう、自然の指爪が時間の経過とともに成長した時に、自然の指爪の成長した長さだけ、人工爪を自然の指爪に取り付けた状態で、自然の指爪への人工爪の取付位置を調節する器具を提供することが、本発明の別の目的である。
【課題を解決するための手段】
【０００８】
目的を達成するために、本発明は自然の指爪に人工爪を取り付ける器具を提供し、これは自然の指爪の上側に取付る下側取付板と、人工爪の下側に取付られ下側取付板に結合される（組み合わされる）上側取付板とを含む。
【０００９】
上側取付板は、人工爪の湾曲部分に対応する湾曲を有する支持部、および支持部の両側に平行して形成され複数の鋸歯を有する一対の鋸歯バーを有する。
下側取付板は、自然指爪の湾曲部分に対応する湾曲を有する前方支持部、複数の鋸歯と平行に前方支持部から延在する一対の鋸歯バー、および鋸歯バーの対向する端側部に形成された一対の後方支持部を有する。
【００１０】
バネ部材を人工爪の下側に取付ることが好ましい。
本発明の以上およびその他の特徴、態様および利点は、以下の説明、請求の範囲、および添付図面に関してさらによく理解され、ここで同様の構成要素は同様の参照番号で指す。
【発明を実施するための最良の形態】
【００１１】
以下は、本発明の好ましい実施形態により人工爪を取り付ける器具を、添付図面に参照することにより詳細に示す。
図１は、本発明の好ましい実施形態により人工爪を取り付ける器具を示す組立分解斜視図であり、図２Ａは、図１の本発明の人工爪取付器具の上側および下側取付板の状態を示す側面図であり、図２Ａは、図１の本発明の人工爪取付器具の上側および下側取付板の状態を示す平面図である。
【００１２】
図１で示したように、本発明による人工爪取付器具１は、自然の指爪３の上側に取り付ける下側取付板１０、および人工爪２の下側に取り付ける上側取付板２０を含む。人工爪２は、人工爪として必要な十分な弾性力を有する従来通りの人工爪である。
【００１３】
上側取付板２０と下側取付板１０との構造を、詳細に説明する。
図２Ａおよび図２Ｂで示すように、下側取付板１０は、自然の指爪３の湾曲部分に対応する湾曲を有する前方支持部１１、および前方支持部１１の両側から平行に延在する一対の鋸歯バー１３および１３’を有する。鋸歯バー１３および１３’には、その自身上に複数の鋸歯が形成される。一対の後方支持部１４および１４’が、下側鋸歯バー１３および１３’の端部から対向して延在する。下側鋸歯バー１３および１３’上に形成され、１本の列で配置構成される鋸歯１２を、鋸歯バー１３および１３’から所定の長さだけ下方向に延在する延長部分１５（図１および図６参照）の内側に形成することが好ましい。
【００１４】
図１および図２Ａで示すように、上側取付板２０に、人工爪２の湾曲部分に対応する湾曲を有する支持部２１、および支持部２１の両側に平行に延在する複数の鋸歯を有する一対の上側鋸歯バー２３および２３’を形成する。
【００１５】
一方、人工爪２には、自然の指爪３に十分対応する湾曲を形成することが好ましい。上側および下側取付板１０および２０は、十分な弾性の金属で作成し、それぞれ一体に構成することが好ましい。
【００１６】
上側鋸歯バー２３および２３’の外側に、傾斜した上側支持表面２５（図１および図６参照）、およびその内側に配置構成された鋸歯を形成する。支持部２１は、中心位置に適切に位置決めする。
【００１７】
以下で、本発明の好ましい実施形態による人工爪取付器具１の取り付けについて、添付図面を参照することにより説明する。
図３は、本発明の好ましい実施形態の人工爪取付器具を自然の指爪に着用した状態を示す図であり、図４Ａは、本発明の好ましい実施形態の人工爪取付器具を自然の指爪に着用していない状態を示す、図３の線Ａ−Ａ’に沿って切り取った断面図であり、図４Ｂは、本発明の好ましい実施形態の人工爪取付器具を自然の指爪に着用した状態を示す、図３の線Ａ−Ａ’に沿って切り取った断面図であり、図４Ｃは、本発明の好ましい実施形態の人工爪取付器具を自然の指爪に着用した状態を示す、図３の線Ａ−Ａ’に沿って切り取った断面図である。
【００１８】
図３で示すように、人工爪取付器具１は、個々の取付板１０および２０を別個に取り付けることによって着用する。その時点で、取付板１０および２０の取付位置は、相互に対して正確に対応する。次に、人工爪２の上側を他の指で押し下げると、人工爪２を自然の指爪３に容易に取り付けることができる。
【００１９】
本発明の人工爪取付器具１の別の例（図示せず）として、個々の取付板１０および２０を前もって係合し、係合した取付板１０および２０を人工爪２に取り付けた後、人工爪は、自然の指爪１３の適切な取付位置をチェックすることにより、自然の指爪３に取り付けることができる。
【００２０】
次に、人工爪取付器具１の個々の取付板１０および２０の取り付け状態について、着用前、着用中、および着用後に分離することにより、以下のように詳細に説明する。
図４Ａは、個々の取付板１０および２０を取付、上側取付板２０を、自然の指爪３に取り付けた下側取付板１０に配置した状態を示す（図３参照）。この時点で、人工爪２（図３）に外力（押下力）が加わっていないので、人工爪２の形状は変形していない。したがって、個々の鋸歯１２および２２が係合していないので、自然の指爪３と人工爪２とは、間隔Ｄで配置され、上側鋸歯２２が下側鋸歯１２の上で位置決めされる。
【００２１】
図４Ｂは、個々の取付板１０および２０を着用した状態を示し、人工爪２の上側を押し下げると、上側取付板２０の両側が開き、所定の間隔Ｄ’を維持することにより、人工爪２が下側取付板１０の外表面に沿って下降する。その時点で、個々の鋸歯１２および２２は、係合直前の状態であり、上側鋸歯２２は、下側鋸歯１２の下側に位置する。上側取付板２０の上側鋸歯２２は、下側鋸歯１２と係合していないので、人工爪２を前後に移動させることができ、したがって、以下で説明するように人工爪２の使用状態にて、人工爪２の分離をこの状態で実行する。ここで、着用前の距離Ｄと着用中の距離Ｄ’との差は、個々の鋸歯１２と２２が係合するための最小隙間である。
【００２２】
図４Ｃは、図示のように個々の取付板１０および２０を着用した後の状態を示し、上側取付板２０および下側取付板１０が、所定の距離Ｄ”を維持することにより、相互に係合している。詳細に説明すると、上側鋸歯２２が下側鋸歯１２と係合しているので、上側鋸歯は前後に移動することができず、したがって人工爪２（図３参照）が着用状態を維持する。その時点で、人工爪２は、上方向に加えた弾性力によって回復力で内側に収縮し、したがって個々の鋸歯１２および２２は分離せず、係合状態を維持することができる。ここで、着用前の距離Ｄと着用後の距離Ｄ”との差は、個々の鋸歯１２と２２を分離するための最小距離であり、この差は常に維持しなければならず、同時に人工爪２の弾性回復を、距離の差を維持するための量で保証しなければならない。
【００２３】
以下では、上述した構成で取付た人工爪取付器具１の使用、および取付過程を、添付図面に関して詳細に説明する。
図５は、本発明による人工爪２の使用状態を示し、図６は、好ましい実施形態による人工爪２の鋸歯部分の係合を示す部分断面図を示す。
【００２４】
図５で示した人工爪１を着用した状態で、人工爪２の上側を図４Ｂで示したような方法で押し下げると、個々の鋸歯１２および２２が、図６で示したような係合から解放されて分離し、したがって人工爪２の位置を調節し、人工爪を前後に移動することにより、人工爪２を完全に外すことができる。
【００２５】
一方、図７に示すように本発明の取付爪２のさらなる好ましい実施形態として上述したように、着用後に人工爪２の弾性回復を増加するためにバネ部材３０を人工爪２の下側に追加し、人工爪２を取付ると、人工爪２は、自然の指爪３の上表面を支持しながら上方向に移動するので、個々の鋸歯１２と２２がしっかり係合する。
【００２６】
したがって、上述したような構造の人工爪取付器具１によると、上側および下側取付板１０および２０を人工爪２および自然の指爪３に取り付けるので、使用者の好みに従って任意の時に種々の人工爪２を容易に外し、交換することができ、自然の指爪３の成長に従って人工爪２の位置を容易に調節することができるので、成長した自然の指爪３を人工爪２で常に覆うことができ、したがって美的センスを最適な状態で維持し、人工爪２を長期間にわたって使用することができる。
【００２７】
本発明を詳細に説明してきた。しかし、詳細な説明および個々の例は、本発明の好ましい実施形態を示すが、例示によってのみ与えられていることを理解されたい。本発明の精神および範囲内で様々な変更および修正が、詳細な説明から当業者には明白になるからである。
【図面の簡単な説明】
【００２８】
【図１】本発明の好ましい実施形態により人工爪を取り付ける器具を示す組立分解斜視図である。
【図２Ａ】図１の本発明の人工爪取付器具の上側および下側取付板の状態を示す側面図である。
【図２Ａ】図１の本発明の人工爪取付器具の上側および下側取付板の状態を示す平面図である。
【図３】本発明の好ましい実施形態の人工爪取付器具を自然の指爪に着用した状態を示す図である。
【図４Ａ】本発明の好ましい実施形態の人工爪取付器具を自然の指爪に着用していない状態を示す、図３の線Ａ−Ａ’に沿って切り取った断面図である。
【図４Ｂ】本発明の好ましい実施形態の人工爪取付器具を自然の指爪に着用した状態を示す、図３の線Ａ−Ａ’に沿って切り取った断面図である。
【図４Ｃ】本発明の好ましい実施形態の人工爪取付器具を自然の指爪に着用した状態を示す、図３の線Ａ−Ａ’に沿って切り取った断面図である。
【図５】本発明の人工爪取付器具の使用を示す図である。
【図６】本発明の好ましい実施形態の人工爪取付器具の係合した鋸歯部分を示す部分断面図である。
【図７】本発明のさらなる好ましい実施形態による人工爪取付器具の断面図である。
【図１】
2006511314.tif 000003
2006511314.tif 000004
2006511314.tif 000005
【図３】
2006511314.tif 000006
2006511314.tif 000007
2006511314.tif 000008
2006511314.tif 000009
【図５】
2006511314.tif 000010
【図６】
2006511314.tif 000011
【図７】
2006511314.tif 000012
【国際調査報告】
2006511314.tif 000013